(57)【要約】【課題】  傾斜地を耕作する場合であっても、トラクタが横流れするのを防止するためのカルチベータ用横流れ防止装置を提供することである。【解決手段】  本発明のカルチベータ用横流れ防止装置（１０）は、カルチベータの進行方向に対して実質的に直交する方向を回転軸線として回転可能に配置されたゴロクラッシャ（１２）と、ゴロクラッシャの実質的に中央に、ゴロクラッシャが地面で回転すると、地面に食い込んで一緒に回転するようになった羽根片を有する横流れ防止羽根（１６）とを備えていることを特徴とするものである。【選択図】  図１
2010200665.tif 000002
【特許請求の範囲】
【請求項１】
トラクタに牽引されるカルチベータに取り付けられるカルチベータ用横流れ防止装置であって、
カルチベータの進行方向に対して実質的に直交する方向を回転軸線として回転可能に配置されたゴロクラッシャと、
前記ゴロクラッシャの実質的に中央に、前記ゴロクラッシャが地面で回転すると、地面に食い込んで一緒に回転するようになった羽根片を有する横流れ防止羽根と、
を備えていることを特徴とする装置。
【請求項２】
前記ゴロクラッシャが、両端に配置されたディスク部と、前記ディスク部の中央の軸受部と、前記ディスク部の各々を連結するように配置された多数のクラッシャ片とを有することを特徴とする請求項１に記載された装置。
【請求項３】
前記横流れ防止羽根が、前記クラッシャ片によって形成される外面から外方に延びる多数の羽根片を有することを特徴とする請求項１又は２に記載された装置。
【請求項４】
トラクタに牽引されるカルチベータに取り付けられるカルチベータ用横流れ防止装置であって、
カルチベータの進行方向に対して実質的に直交する方向を回転軸線として回転可能に配置された横流れ防止羽根を備え、
前記横流れ防止羽根の外周に、トラクタの走行時に地面に食い込んで回転するようになった羽根片を有することを特徴とする装置。
【請求項５】
前記羽根片の各々が、半円形状、三角形状、又は台形状に形作られていることを特徴とする請求項１から請求項４のいずれか１項に記載された装置。
【発明の詳細な説明】
【技術分野】
【０００１】
本発明は一般に、カルチベータ用横流れ防止装置に関する。より詳細には、本発明は、傾斜地を耕作する場合であっても、トラクタが横流れするのを防止するためのカルチベータ用横流れ防止装置に関する。
【背景技術】
【０００２】
マスト付きツールバーにカルチベータ等の各種農機具を装着し、マストをトラクタの油圧３点支持装置に連結してトラクタを作動させることによって、種々の農作業が行われるのは、周知の事項である。
【発明の開示】
【発明が解決しようとする課題】
【０００３】
しかしながら、耕作地が傾斜している場合には、カルチベータが傾斜下方に流されてしまうため、作物列の中心に沿って耕作するのが困難であるという不都合がある。また、横流れするカルチベータに引っ張られてトラクタも傾斜下方に流されるため、トラクタの操縦が容易ではないという不都合もある。
【０００４】
本発明は、このような状況に鑑みて開発されたものであって、傾斜地を耕作する場合であっても、トラクタが横流れするのを防止するためのカルチベータ用横流れ防止装置を提供することを目的としている。
【課題を解決するための手段】
【０００５】
本願請求項１に記載の、トラクタに牽引されるカルチベータに取り付けられるカルチベータ用横流れ防止装置は、カルチベータの進行方向に対して実質的に直交する方向を回転軸線として回転可能に配置されたゴロクラッシャと、前記ゴロクラッシャの実質的に中央に、前記ゴロクラッシャが地面で回転すると、地面に食い込んで一緒に回転するようになった羽根片を有する横流れ防止羽根とを備えていることを特徴とするものである。
【０００６】
本願請求項２に記載のカルチベータ用横流れ防止装置は、前記請求項１の装置において、前記ゴロクラッシャが、両端に配置されたディスク部と、前記ディスク部の中央の軸受部と、前記ディスク部の各々を連結するように配置された多数のクラッシャ片とを有することを特徴とするものである。
【０００７】
本願請求項３に記載のカルチベータ用横流れ防止装置は、前記請求項１又は２の装置において、前記横流れ防止羽根が、前記クラッシャ片によって形成される外面から外方に延びる多数の羽根片を有することを特徴とするものである。
【０００８】
本願請求項４に記載の、トラクタに牽引されるカルチベータに取り付けられるカルチベータ用横流れ防止装置は、カルチベータの進行方向に対して実質的に直交する方向を回転軸線として回転可能に配置された横流れ防止羽根を備え、前記横流れ防止羽根の外周に、トラクタの走行時に地面に食い込んで回転するようになった羽根片を有することを特徴とするものである。
【０００９】
本願請求項５に記載のカルチベータ用横流れ防止装置は、前記請求項１から請求項４のいずれか１項の装置において、前記羽根片の各々が、半円形状、三角形状、又は台形状に形作られていることを特徴とするものである。
【発明の効果】
【００１０】
本発明によれば、耕作時に横流れ防止羽根の羽根片が地面に食い込むため、耕作地が傾斜している場合であっても、作物列の中心に沿って耕作することができるとともに、トラクタの横流れを防止することができる。本発明の横流れ防止装置は、構造が簡単であるため、製造コストが安価であり、また故障も少ないので、維持管理コストを低廉に抑えることができる。
【発明を実施するための最良の形態】
【００１１】
次に添付図面を参照して、本発明の好ましい実施の形態に係るカルチベータ用横流れ防止装置について詳細に説明する。図１は、第１の実施の形態に係るカルチベータ用横流れ防止装置を示した斜視図である。図１において全体として参照符号１０で示される本発明の第１の実施の形態に係るカルチベータ用横流れ防止装置は、耕作地の土塊を砕くためのゴロクラッシャ１２とを備えている。
【００１２】
ゴロクラッシャ１２は、両端に配置されたディスク部１２ａと、ディスク部１２ａの中央の軸受部１２ｂと、両端のディスク部１２ａを連結するように配置された多数のクラッシャ片１２ｃとを有している。
【００１３】
クラッシャ片１２ｃは、所定幅の細長い鋼板で形成されるものとして図示されているが、鋼板の代わりに鋼棒を使用してもよい。また、図示されている各クラッシャ片１２ｃは、湾曲した形状を有しており、全体として鼓状に形作られているが、直線状のクラッシャ片１２ｃを使用してもよい。なお、ゴロクラッシャ１２自体は、公知の器具である。
【００１４】
カルチベータ用横流れ防止装置１０は又、ゴロクラッシャ１２をその両端で回転可能に支持するためのアーム１４を備えている。すなわち、アーム１４は、山形状の平面視をもつ基部１４ａと、基部１４ａの両端からそれぞれ延びた支持部１４ｂ、１４ｃとを有しており、支持部１４ｂ、１４ｃにおいてゴロクラッシャ１２の軸受部１２ｂにそれぞれ回転可能に連結されている。
【００１５】
カルチベータ用横流れ防止装置１０は更に、ゴロクラッシャ１２の実質的に中央に、ゴロクラッシャ１２のディスク部１２ａと実質的に平行になるように配置された横流れ防止羽根１６を備えている。より詳細に説明すると、横流れ防止羽根１６は、ゴロクラッシャ１２のクラッシャ片１２ｃによって形作られる外面（鼓状の外周）に堅固に固定されている。
【００１６】
横流れ防止羽根１６は、多数（図１では、８個）のほぼ半円形の羽根片１６ａが鼓状の外周から外方に延びるように形成されている。これにより、ゴロクラッシャ１２が地面で回転すると、横流れ防止羽根１６の羽根片１６ａが地面に食い込んで一緒に回転するようになっている。
【００１７】
なお、図１および図２に示される横流れ防止羽根１６の羽根片１６ａは、ほぼ半円形の形状を有しているが、地面に食い込むことができるものであれば他の形状（例えば、三角形状（図３および図４参照）、台形状（図５参照）など）の羽根片を採用してもよい。
【００１８】
以上のように構成されたカルチベータ用横流れ防止装置１０の作動について説明する。カルチベータ用横流れ防止装置１０は、図２に示されるように、トラクタ（図示せず）に牽引されるカルチベータから後方に延びる縦桁の最後尾に取付部１４ｄを介して取り付けられる。
【００１９】
図６は、カルチベータ用横流れ防止装置１０を装着したトラクタによる耕作状態を示した模式図である。図６において、左側が傾斜が高い箇所、右側が傾斜が低い箇所（すなわち、傾斜は左側から右側に向かって流れている）を示している。カルチベータ用横流れ防止装置１０を装着しないで耕作すると、上述のように、カルチベータが重力により傾斜下方（すなわち、図６で右方）に流されるため、これに引っ張られてトラクタも傾斜下方に流される。しかしながら、カルチベータ用横流れ防止装置１０を装着して作業すると、最後尾に位置する横流れ防止羽根１６の羽根片１６ａが地面に食い込むため、カルチベータおよびトラクタの横流れが防止される。
【００２０】
図７は、本発明の第２の実施の形態に係るカルチベータ用横流れ防止装置を示した斜視図である。図７において全体として参照符号２０で示される本発明の第２の実施の形態に係るカルチベータ用横流れ防止装置は、ゴロクラッシャを備えていない点を除いて、カルチベータ用横流れ防止装置１０と実質的に同一の構成を有している。すなわち、カルチベータ用横流れ防止装置２０は、カルチベータの進行方向に対して実質的に直交する方向を回転軸線として回転可能に配置された横流れ防止羽根２６と、横流れ防止羽根２６を回転可能に支持するためのアーム２４とを備えている。
【００２１】
横流れ防止羽根２６は、多数（図７では、１０個）の三角形状の羽根片２６ａが外周に設けられたプレートで形成されており、横流れ防止羽根２６が地面で回転すると、羽根片２６ａが地面に食い込んで回転するようになっている。
【００２２】
図７および図８に示される横流れ防止羽根２６の羽根片２６ａは、三角形の形状を有しているが、カルチベータ用横流れ防止装置１０と同様に、地面に食い込むことができるものであれば他の形状（例えば、半円形状（図９参照）、台形状（図示せず）など）の羽根片を採用してもよい。なお、カルチベータ用横流れ防止装置２０の作動は、カルチベータ用横流れ防止装置１０の作動と同様である。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【００２４】
たとえば、前記第１の実施の形態において、ゴロクラッシャ１２を回転可能に支持するアーム１４が、山形の基部１４ａおよび支持部１４ｂ、１４ｃを有するものとして図示されているが、ゴロクラッシャ１２を回転可能に支持することができるものであれば、他の形態のアームを採用してもよい。
【００２５】
また、前記実施の形態では、カルチベータから後方に延びる縦桁の最後尾に装置１０、２０が取り付けられているが、装置１０、２０の取り付け箇所は、最後尾であるのが最も効果的であるものの、最後尾に限定されるものではない。
【図面の簡単な説明】
【００２６】
【図１】本発明の第１の実施の形態に係るカルチベータ用横流れ防止装置を示した斜視図である。
【図２】図１のカルチベータ用横流れ防止装置がカルチベータに取り付けられている状態を示した斜視図である。
【図３】変形形態の横流れ防止装置の一部を示した斜視図である。
【図４】図３の側面図である。
【図５】横流れ防止装置の別の変形形態を示した図４と同様の図である。
【図６】本発明の第１の実施の形態に係るカルチベータ用横流れ防止装置の作動を説明するための模式図である。
【図７】本発明の第２の実施の形態に係るカルチベータ用横流れ防止装置を示した斜視図である。
【図８】図７のカルチベータ用横流れ防止装置がカルチベータに取り付けられている状態を示した斜視図である。
【図９】本発明の第２の実施の形態に係るカルチベータ用横流れ防止装置の変形形態を示した図７と同様の図である。
【符号の説明】
【００２７】
１０、２０  カルチベータ用横流れ防止装置
１２  ゴロクラッシャ
１２ａ  ディスク部
１２ｂ  軸受部
１２ｃ  クラッシャ片
１４、２４  アーム
１４ａ  基部
１４ｂ、１４ｃ  支持部
１４ｄ  取付部
１６、２６  横流れ防止羽根
１６ａ、２６ａ  羽根片
【図１】
2010200665.tif 000003
【図２】
2010200665.tif 000004
【図３】
2010200665.tif 000005
【図４】
2010200665.tif 000006
【図５】
2010200665.tif 000007
【図６】
2010200665.tif 000008
【図７】
2010200665.tif 000009
【図８】
2010200665.tif 000010
【図９】
2010200665.tif 000011